(57)【要約】【課題】他の照明装置と無線通信を行う場合に、連動対象外の照明装置が誤動作することなく、連動対象の照明装置との間で連動した点灯制御を行うことが可能な照明装置を得ること。【解決手段】光源２と、光源２に電流を出力して点灯させる点灯制御部３と、点灯制御部３が光源２に出力する電流を制御するための指令信号を生成する指令部４と、無線通信により他の照明装置との間で無線信号を送受信する送受信部６と、人の在または不在を検知する人感センサ５と、を備え、指令部４は、人感センサ５による検知情報、および自装置に割り当てられた照明装置毎に固有の識別子を含む無線信号を生成して送受信部６経由で他の照明装置に送信し、送受信部６経由で他の照明装置から無線信号を受信した場合、受信した無線信号に含まれる他の照明装置の検知情報、および他の照明装置の識別子の情報を用いて、指令信号を生成する。【選択図】図１
2018006191.tif 000002
【特許請求の範囲】
【請求項１】
光源と、
前記光源に電流を出力して点灯させる点灯制御部と、
前記点灯制御部が前記光源に出力する電流を制御するための指令信号を生成する指令部と、
無線通信により他の照明装置との間で無線信号を送受信する送受信部と、
人の在または不在を検知する人検知部と、
を備え、
前記指令部は、
前記人検知部による検知情報、および自装置に割り当てられた照明装置毎に固有の識別子を含む無線信号を生成して前記送受信部経由で前記他の照明装置に送信し、
前記送受信部経由で前記他の照明装置から無線信号を受信した場合、受信した無線信号に含まれる前記他の照明装置の人検知部による検知情報、および前記他の照明装置の識別子の情報を用いて、前記指令信号を生成する照明装置。
【請求項２】
前記指令部は、前記光源を消灯している状態において前記他の照明装置から無線信号を受信し、受信した無線信号に含まれる前記他の照明装置の識別子が予め連動して光源の点灯を制御する対象である連動対象の照明装置の識別子として記憶されている識別子と一致した場合、前記光源を点灯させるための指令信号を生成して前記点灯制御部に出力する、
請求項１に記載の照明装置。
【請求項３】
前記指令部は、前記光源を点灯している状態において自装置の前記人検知部が人の不在を検知し、かつ、前記他の照明装置から無線信号を受信し、受信した無線信号に含まれる前記他の照明装置の識別子が予め連動して光源の点灯を制御する対象である連動対象の照明装置の識別子として記憶されている識別子と一致し、前記他の照明装置の検知情報が人を検知したことを示す内容であった場合、前記光源を消灯させるための指令信号を生成して前記点灯制御部に出力する、
請求項１に記載の照明装置。
【請求項４】
光源と、
前記光源に電流を出力して点灯させる点灯制御部と、
前記点灯制御部が前記光源に出力する電流を制御するための指令信号を生成する指令部と、
無線通信により他の照明装置との間で無線信号を送受信する送受信部と、
リモコンから操作内容を受信するリモコン信号受信部と、
を備え、
前記指令部は、
前記リモコン信号受信部で受信された操作内容、および自装置に割り当てられた照明装置毎に固有の識別子を含む無線信号を生成して前記送受信部経由で前記他の照明装置に送信し、
前記送受信部経由で前記他の照明装置から無線信号を受信した場合、受信した無線信号に含まれる前記他の照明装置のリモコン信号受信部で受信された操作内容、および前記他の照明装置の識別子の情報を用いて、前記指令信号を生成する照明装置。
【請求項５】
前記指令部は、前記他の照明装置から無線信号を受信し、受信した無線信号に含まれる前記他の照明装置の識別子が予め連動して光源の点灯を制御する対象である連動対象の照明装置の識別子として記憶されている識別子と一致した場合、前記他の照明装置で受信された操作内容に従って、前記指令信号を生成して前記点灯制御部に出力する、
請求項４に記載の照明装置。
【請求項６】
光源と、
前記光源に電流を出力して点灯させる点灯制御部と、
前記点灯制御部が前記光源に出力する電流を制御するための指令信号を生成し、また、前記光源の不点灯状態を検出する指令部と、
無線通信により他の照明装置との間で無線信号を送受信する送受信部と、
を備え、
前記指令部は、
前記光源の不点灯状態を検出したことを示す不点灯情報、および自装置に割り当てられた照明装置毎に固有の識別子を含む無線信号を生成して前記送受信部経由で前記他の照明装置に送信し、
前記送受信部経由で前記他の照明装置から無線信号を受信した場合、受信した無線信号に含まれる前記他の照明装置の指令部による不点灯情報、および前記他の照明装置の識別子の情報を用いて、前記指令信号を生成する照明装置。
【請求項７】
前記指令部は、前記他の照明装置から無線信号を受信し、受信した無線信号に含まれる前記他の照明装置の識別子が予め連動して光源の点灯を制御する対象である連動対象の照明装置の識別子として記憶されている識別子と一致した場合、前記光源の光量を増加させるための前記指令信号を生成して前記点灯制御部に出力する、
請求項６に記載の照明装置。
【請求項８】
前記識別子は、インターネットプロトコルアドレス情報である、
請求項１から７のいずれか１つに記載の照明装置。
【請求項９】
請求項１または２または３に記載の照明装置を複数備えた照明システム。
【請求項１０】
請求項４または５に記載の照明装置を複数備えた照明システム。
【請求項１１】
請求項６または７に記載の照明装置を複数備えた照明システム。
【発明の詳細な説明】
【技術分野】
【０００１】
本発明は、他の照明装置と連動して点灯制御を行う照明装置および照明システムに関する。
【背景技術】
【０００２】
従来、消費電力削減並びに利便性向上を目的として、照明装置は、人感センサを備え、人感センサの検知内容を用いて人がいる場合にのみ照明を点灯する制御を行うものがある。特許文献１には、人感センサを備えた照明装置において、人の在および不在を検知し、人を検知した場合に照明を１００％点灯させる制御を行うことが開示されている。また、特許文献１に記載の照明装置は、人を検知した結果を有線接続された他の照明装置に送信し、周囲の照明装置と連動して点灯制御を行う。これにより、特許文献１に記載の照明装置を複数備えた照明システムは、人感センサで人を検知できない位置にある照明装置を点灯させることができるため、消費電力を削減しつつ、人の周囲をより広範囲に照らすことができ利便性が向上する。
【先行技術文献】
【特許文献】
【０００３】
【特許文献１】特開平８−２７３８３８号公報
【発明の概要】
【発明が解決しようとする課題】
【０００４】
特許文献１に記載の技術では、照明装置間の通信に信号線を用いるため、接続する照明装置の数が多いほど、信号線の配線が長くなって照明システムが高コスト化し、また配線が複雑化するため施工性が悪化してしまう、という問題があった。これに対して、照明装置に無線通信機を搭載し、各照明装置間で無線通信を行う方法が考えられる。これによって、通信用の信号線が不要になるため、照明システムの高コスト化を抑制できるとともに、施工性を向上できる。しかしながら、信号線を用いていた場合は配線によって連動して点灯制御を行う照明装置の組み合わせを容易に設定できたが、無線通信を行う場合、照明装置は、連動して点灯制御を行う特定の照明装置のみに信号を送ることができない。そのため、意図していない照明装置が点灯または消灯の制御をしてしまう可能性がある、という問題があった。
【０００５】
本発明は、上記に鑑みてなされたものであって、他の照明装置と無線通信を行う場合に、連動対象外の照明装置が誤動作することなく、連動対象の照明装置との間で連動した点灯制御を行うことが可能な照明装置を得ることを目的とする。
【課題を解決するための手段】
【０００６】
上述した課題を解決し、目的を達成するために、本発明に係る照明装置は、光源と、光源に電流を出力して点灯させる点灯制御部と、点灯制御部が光源に出力する電流を制御するための指令信号を生成する指令部と、無線通信により他の照明装置との間で無線信号を送受信する送受信部と、人の在または不在を検知する人検知部と、を備える。指令部は、人検知部による検知情報、および自装置に割り当てられた照明装置毎に固有の識別子を含む無線信号を生成して送受信部経由で他の照明装置に送信し、送受信部経由で他の照明装置から無線信号を受信した場合、受信した無線信号に含まれる他の照明装置の人検知部による検知情報、および他の照明装置の識別子の情報を用いて、指令信号を生成する。
【発明の効果】
【０００７】
本発明によれば、他の照明装置と無線通信を行う場合に、連動対象外の照明装置が誤動作することなく、連動対象の照明装置との間で連動した点灯制御を行うことができる、という効果を奏する。
【図面の簡単な説明】
【０００８】
【図１】実施の形態１に係る照明システムを構成する照明装置の構成例を示すブロック図
【図２】実施の形態１に係る照明装置によって構成される照明システムの構成例を示す図
【図３】実施の形態１に係る照明システムにおいて他の照明装置から無線信号を受信した照明装置における点灯制御の例を示すフローチャート
【図４】実施の形態１に係る照明システムを構成する照明装置の別の構成例を示すブロック図
【図５】実施の形態１に係る照明装置によって構成される照明システムの別の構成例を示す図
【図６】実施の形態１に係る照明システムにおいて他の照明装置から無線信号を受信した照明装置における点灯制御の別の例を示すフローチャート
【図７】実施の形態２に係る照明システムを構成する照明装置の構成例を示すブロック図
【図８】実施の形態２に係る照明装置によって構成される照明システムの構成例を示す図
【図９】実施の形態２に係る照明システムにおいて他の照明装置から無線信号を受信した照明装置における点灯制御の例を示すフローチャート
【図１０】実施の形態２に係る照明システムを構成する照明装置の別の構成例を示すブロック図
【図１１】実施の形態２に係る照明装置によって構成される照明システムの別の構成例を示す図
【図１２】実施の形態３に係る照明システムを構成する照明装置の構成例を示すブロック図
【図１３】実施の形態３に係る照明装置によって構成される照明システムの構成例を示す図
【図１４】実施の形態３に係る照明装置が不具合によって不点灯状態になる前後における各照明装置の点灯制御部が出力する電流を示す図
【図１５】実施の形態３に係る照明システムにおいて他の照明装置から無線信号を受信した照明装置における点灯制御の例を示すフローチャート
【発明を実施するための形態】
【０００９】
以下に、本発明の実施の形態に係る照明装置および照明システムを図面に基づいて詳細に説明する。なお、この実施の形態によりこの発明が限定されるものではない。
【００１０】
実施の形態１．
図１は、本発明の実施の形態１に係る照明システムを構成する照明装置１の構成例を示すブロック図である。照明装置１は、光源２と、点灯制御部３と、指令部４と、人感センサ５と、送受信部６と、を備える。
【００１１】
照明装置１は、発光素子である光源２を備えている。光源２は、点灯制御部３が出力する電流によって点灯または消灯する。点灯制御部３は、指令部４が出力する指令信号によって光源２に出力する電流の大きさを制御する。指令部４は、人感センサ５において人の在または不在を検知したことを示す情報である人感センサ検知情報、送受信部６において他の照明装置１との無線通信により受信された無線信号に含まれる他の照明装置１の人感センサ５の人感センサ検知情報、および他の照明装置１に割り当てられた照明装置１毎に固有の識別子の情報を用いて、点灯制御部３が光源２に出力する電流を制御するための指令信号を生成する。なお、人の在とは人が存在していることであり、人の不在とは人が不存在、すなわち人が存在していないことである。図１の例では、照明装置１には１つの光源２が設けられているが、光源２の数は限定されるものではなく、１つの照明装置１が複数の光源２を備える構成でもよい。なお、人感センサ検知情報を検知情報と称する場合がある。
【００１２】
実施の形態１では、具体的に、光源２としてＬＥＤ（Ｌｉｇｈｔ  Ｅｍｉｔｔｉｎｇ  Ｄｉｏｄｅ）を用いた場合について説明する。光源２は、複数のＬＥＤを直列または並列に接続した構成であり、点灯制御部３とコネクタまたはソケットにより接続され、点灯制御部３が出力する電流により点灯する。また、光源２は、光出力の配光むら改善、およびＬＥＤのぎらつき抑制を目的として、拡散カバーをＬＥＤの発光面を覆うように設置することもある。なお、光源２については、ＬＥＤの他に、有機ＥＬ（Ｅｌｅｃｔｒｏ  Ｌｕｍｉｎｅｓｃｅｎｃｅ）、蛍光灯、白熱電球といった発光素子を用いてもよい。
【００１３】
点灯制御部３は、図示しない交流電源または直流電源と接続し、所望の大きさの直流の電流を生成し、生成した電流を光源２に出力する。このとき、光源２の光束は、点灯制御部３が出力する電流の大きさに依存する。点灯制御部３は、出力する電流の大きさを、指令部４から受け取った電流の目標値を決めるための指令信号によって制御する。点灯制御部３は、光源２に出力する電流を制御することによって、光源２を点灯、調光、消灯、あるいは点滅させる。
【００１４】
指令部４は、人感センサ５、および送受信部６から受け取った無線信号を用いて、点灯制御部３が光源２に出力する電流の大きさを決めるための指令信号を生成して出力する。
【００１５】
指令部４の内部構成をより詳細に説明する。指令部４は、センサ出力処理部４１と、指令信号生成部４２と、通信信号処理部４３と、判定部４４と、受信内容処理部４５と、記憶部４６と、を備える。
【００１６】
通信信号処理部４３は、無線通信により受信された無線信号を送受信部６から受け取り、受け取った無線信号から、送信元の照明装置１の人感センサ５において人の在または不在を検知したことを示す情報である人感センサ検知情報、および送信元の照明装置１を識別するための識別子であるアドレス情報を抽出する。通信信号処理部４３は、抽出したアドレス情報を判定部４４に出力し、抽出した人感センサ検知情報を受信内容処理部４５に出力する。
【００１７】
判定部４４は、送受信部６で受信された無線信号の送信元の照明装置１を示すアドレス情報と、記憶部４６に予め記憶されている、連動して光源２の点灯を制御すべき連動対象の照明装置のアドレス情報とを比較する。判定部４４は、比較した結果、すなわちアドレス情報が一致したか否かを示す信号を受信内容処理部４５に出力する。
【００１８】
記憶部４６は、自装置の照明装置１が連動して点灯制御すべき連動対象の照明装置の識別子であるアドレス情報を記憶している。また、記憶部４６は、自装置の照明装置１を識別するための識別子である、自装置の照明装置１に割り当てられたアドレス情報を記憶している。識別子であるアドレス情報は、照明装置１毎に固有のものである。記憶部４６は、連動対象の照明装置のアドレス情報、および自装置の照明装置１のアドレス情報について、予めユーザまたは照明システムの管理者などによって設定されているものとする。各照明装置１を識別するための識別子であるアドレス情報は、例えば、インターネットプロトコル（ＩＰ（Ｉｎｔｅｒｎｅｔ  Ｐｒｏｔｏｃｏｌ））アドレスであるが、これに限定されるものではない。
【００１９】
受信内容処理部４５は、判定部４４から受け取った信号が、送受信部６で受信された無線信号の送信元の照明装置１のアドレス情報と記憶部４６に予め記憶されている連動対象の照明装置のアドレス情報とが一致していることを示す信号であった場合、通信信号処理部４３から受け取った人感センサ検知情報を指令信号生成部４２に出力する。
【００２０】
センサ出力処理部４１は、人感センサ５から受け取った信号を用いて、人の在または不在を検知したことを示す情報である人感センサ検知情報を生成し、生成した人感センサ検知情報を指令信号生成部４２および通信信号処理部４３に出力する。
【００２１】
指令信号生成部４２は、受信内容処理部４５およびセンサ出力処理部４１から受け取った情報、すなわち、連動対象の照明装置の人感センサ５による人感センサ検知情報、および自装置の照明装置１の人感センサ５による人感センサ検知情報を用いて、点灯制御部３が出力する電流の大きさを決めるための指令信号を生成し、生成した指令信号を点灯制御部３に出力する。
【００２２】
また、通信信号処理部４３は、センサ出力処理部４１から受け取った自装置の照明装置１の人感センサ５による人感センサ検知情報と、記憶部４６に記憶されている自装置の照明装置１に割り当てられたアドレス情報とを含み、他の照明装置１に無線通信により送信するための無線信号を生成する。
【００２３】
人感センサ５は、人の在または不在を検知する焦電素子を備えており、人の在または不在を検知した信号を、センサ出力処理部４１に出力する人検知部である。人感センサ５において、焦電素子の数は１つでもよいし、複数であってもよい。
【００２４】
送受信部６は、他の照明装置１からの無線信号を受信し、および他の照明装置１へ無線信号を送信するためのアンテナを備えている。送受信部６は、他の照明装置１から受信した無線信号に対して復調および復号などを行って、通信信号処理部４３に出力する。また、送受信部６は、通信信号処理部４３で生成された無線信号、具体的には、前述のように、自装置の照明装置１の人感センサ５による人感センサ検知情報と、記憶部４６に記憶されている自装置の照明装置１に割り当てられたアドレス情報とを含む無線信号に対して符号化および変調などを行い、他の照明装置１に送信する。
【００２５】
送受信部６において行われる無線通信としては、例えば、Ｗｉ−Ｆｉ（Ｗｉｒｅｌｅｓｓ−Ｆｉｄｅｌｉｔｙ）（登録商標）などの無線ＬＡＮ（Ｌｏｃａｌ  Ａｒｅａ  Ｎｅｔｗｏｒｋ）、またはＢｌｕｅｔｏｏｔｈ（登録商標）などがある。
【００２６】
また、無線通信の別の例として赤外線がある。この場合、照明装置１の送受信部６は、前述のアンテナに替えて、赤外線による信号を受信するための赤外線受光素子、および赤外線による信号を送信するための赤外線発光素子を備える。
【００２７】
次に、実施の形態１にかかる照明装置１の動作を説明する。
【００２８】
図２は、実施の形態１に係る照明装置１−１〜１−５によって構成される照明システム１００の構成例を示す図である。照明装置１−１〜１−５の構成は、図１に示す照明装置１の構成と同様とする。
【００２９】
照明装置１−３は、人感センサ５において人７を検知すると、指令部４および点灯制御部３の制御により、光源２を点灯する。また、照明装置１−３は、送受信部６から、人感センサ５で人７の在を検知したことを示す人感センサ検知情報と、照明装置１−３に割り当てられたアドレス情報とを含む無線信号を、無線通信により他の照明装置１−１，１−２，１−４，１−５に送信する。
【００３０】
照明装置１−３から無線信号を受信した照明装置１−１，１−２，１−４，１−５は、受信した無線信号から、人感センサ検知情報、および照明装置１−３のアドレス情報を抽出する。照明装置１−１，１−２，１−４，１−５には、予め連動対象の照明装置のアドレス情報が記憶されているものとする。ここでは、照明装置１−２，１−４には、連動対象の照明装置のアドレス情報として照明装置１−３のアドレス情報が記憶されており、照明装置１−１，１−５には、連動対象の照明装置のアドレス情報として照明装置１−３のアドレス情報が記憶されていないとする。照明装置１−１，１−２，１−４，１−５は、抽出したアドレス情報と連動対象の照明装置のアドレス情報との比較を行う。
【００３１】
照明装置１−２は、受信した無線信号から抽出したアドレス情報が連動対象の照明装置のアドレス情報と一致すると判断すると、抽出した照明装置１−３の人感センサ５による人感センサ検知情報、および自装置の照明装置１−２の人感センサ５による人感センサ検知情報を用いて、光源２の点灯、消灯、または調光といった制御を行う。同様に、照明装置１−４は、受信した無線信号から抽出したアドレス情報が連動対象の照明装置のアドレス情報と一致すると判断すると、抽出した照明装置１−３の人感センサ５による人感センサ検知情報、および自装置の照明装置１−４の人感センサ５による人感センサ検知情報を用いて、光源２の点灯、消灯、または調光といった制御を行う。
【００３２】
一方、照明装置１−１は、受信した無線信号から抽出したアドレス情報が連動対象の照明装置のアドレス情報と一致しないと判断すると、抽出した照明装置１−３の人感センサ５による人感センサ検知情報を用いず、自装置の照明装置１−１の人感センサ５による人感センサ検知情報を用いて、光源２の点灯、消灯、または調光といった制御を行う。同様に、照明装置１−５は、受信した無線信号から抽出したアドレス情報が連動対象の照明装置のアドレス情報と一致しないと判断すると、抽出した照明装置１−３の人感センサ５による人感センサ検知情報を用いず、自装置の照明装置１−５の人感センサ５による人感センサ検知情報を用いて、光源２の点灯、消灯、または調光といった制御を行う。
【００３３】
これにより、照明装置１−１，１−２，１−４，１−５は、照明装置１−３から無線信号を受信した場合に、予め決められた照明装置１の人感センサ５による人感センサ検知情報にのみに連動して、自装置の光源２の点灯制御を行うことができる。
【００３４】
図２は、照明装置１−１〜１−５が、隣接する照明装置１の人感センサ５が人７を検知している場合に連動して点灯する制御を行う例を示したものである。照明装置１−３のみが人感センサ５により人７を検知しており、照明装置１−１，１−２，１−４，１−５は人７を検知していない。照明装置１−３は、人感センサ５で人７を検知したので、光源２を点灯する。また、照明装置１−３の送受信部６は、人感センサ５による人７を検知したことを示す人感センサ検知情報と、自装置である照明装置１−３のアドレス情報を含む無線信号を他の照明装置１−１，１−２，１−４，１−５に送信する。
【００３５】
照明装置１−１，１−２，１−４，１−５のうち、照明装置１−３に隣接して設置されている照明装置１−２，１−４は、照明装置１−３の人感センサ５による人感センサ検知情報と連動して光源２を点灯する。一方、照明装置１−３に隣接していない照明装置１−１，１−５は、照明装置１−３の人感センサ５による人感センサ検知情報を受信するが、連動して光源２を点灯せず、消灯する。
【００３６】
これにより、照明システム１００は、人７の周囲のより広い範囲を照らすことができる。照明システム１００は、例えば、図２において人７が右方向に移動している場合、人７の移動先にある照明装置１−４を予め点灯させておくことができるため、利便性が向上する。
【００３７】
他の照明装置１から無線信号を受信して、光源２の点灯を制御する照明装置１の動作について、フローチャートを用いて詳細に説明する。図３は、実施の形態１に係る照明システム１００において他の照明装置１から無線信号を受信した照明装置１における点灯制御の例を示すフローチャートである。
【００３８】
照明装置１において、送受信部６は、他の照明装置１から無線信号を受信する（ステップＳ１）。通信信号処理部４３は、送受信部６で受信された無線信号から、送信元の照明装置１のアドレス情報を抽出する（ステップＳ２）。また、通信信号処理部４３は、無線信号から、人感センサ検知情報を抽出する（ステップＳ３）。通信信号処理部４３は、抽出したアドレス情報を判定部４４に出力し、抽出した人感センサ検知情報を受信内容処理部４５に出力する。
【００３９】
判定部４４は、抽出されたアドレス情報と、予め記憶部４６に記憶されている連動対象の照明装置のアドレス情報とを比較する（ステップＳ４）。アドレス情報が一致した場合（ステップＳ４：Ｙｅｓ）、判定部４４はアドレス情報が一致したことを示す信号を受信内容処理部４５に出力する。受信内容処理部４５は、アドレス情報が一致したという判定部４４の信号の内容から、通信信号処理部４３から受け取った他の照明装置１の人感センサ検知情報を指令信号生成部４２に出力する（ステップＳ５）。指令信号生成部４２は、受信内容処理部４５から受け取った他の照明装置１の人感センサ検知情報、およびセンサ出力処理部４１から受け取った自装置の照明装置１の人感センサ検知情報を用いて、指令信号を生成する（ステップＳ６）。すなわち、指令信号生成部４２は、自装置および連動対象の照明装置の人感センサ検知情報を用いて指令信号を生成する。指令信号生成部４２は、生成した指令信号を点灯制御部３に出力する。そして、点灯制御部３は、受け取った指令信号によって出力する電流を制御し、光源２の点灯または消灯などを制御する（ステップＳ７）。
【００４０】
一方、アドレス情報が一致していない場合（ステップＳ４：Ｎｏ）、判定部４４はアドレス情報が一致していないことを示す信号を受信内容処理部４５に出力する。受信内容処理部４５は、アドレス情報が一致していないという判定部４４の信号の内容から、通信信号処理部４３から受け取った他の照明装置１の人感センサ検知情報を指令信号生成部４２に出力しない（ステップＳ８）。指令信号生成部４２は、センサ出力処理部４１から受け取った自装置の人感センサ検知情報を用いて、指令信号を生成する（ステップＳ９）。指令信号生成部４２は、生成した指令信号を点灯制御部３に出力する。そして、点灯制御部３は、受け取った指令信号によって出力する電流を制御し、光源２の点灯または消灯などを制御する（ステップＳ７）。
【００４１】
このように、予め連動して光源２を制御する照明装置１を決めておくことで、無線通信により連動して光源２を制御する場合においても、連動対象以外の照明装置１を点灯させることなく連動対象の照明装置の制御が可能であり、照明システム１００の消費電力を低減できる。例えば、室内照明においては、隣接する部屋の照明を区別して制御する必要がある。無線信号を送信した照明装置１から規定された範囲内の照明装置１を全て点灯させてしまう場合、隣接する部屋の照明装置１を不要に点灯させてしまうことが考えられる。本実施の形態の制御によれば、同一室内の照明装置１のみが連動するよう、予めアドレス情報を設定することにより、不要な照明装置１の点灯を回避できる。
【００４２】
照明装置１において、指令部４は、人感センサ５による人感センサ検知情報、および自装置に割り当てられたアドレス情報を含む無線信号を生成して送受信部６経由で他の照明装置１に送信する。また、指令部４は、送受信部６経由で他の照明装置１から無線信号を受信した場合、受信した無線信号に含まれる他の照明装置１の人感センサ５による人感センサ検知情報、および他の照明装置１のアドレス情報を用いて、指令信号を生成する。
【００４３】
また、指令部４は、光源２を消灯している状態において他の照明装置１から無線信号を受信し、受信した無線信号に含まれる他の照明装置１のアドレス情報が連動対象の照明装置のアドレス情報と一致した場合、光源２を点灯させるための指令信号を生成して点灯制御部３に出力する。
【００４４】
なお、照明装置１−３は、光源２を点灯中、人感センサ５において人７の不在を検知した場合、隣り合う照明装置１−２，１−４のいずれかが人７を検知するまでは光源２の点灯状態を維持するようにしてもよい。これにより、照明装置１−３は、照明装置１−３が備える人感センサ５が人７の不在を誤検知した場合、または、いずれの照明装置１の人感センサ５も人７を検知できない領域に人７が移動した場合において、誤って光源２を消灯することを防止できる。すなわち、照明装置１において、指令部４は、光源２を点灯している状態において自装置の人感センサ５が人の不在を検知し、かつ、他の照明装置１から無線信号を受信し、受信した無線信号に含まれる他の照明装置１のアドレス情報が連動対象の照明装置のアドレス情報と一致し、他の照明装置１の人感センサ検知情報が人を検知したことを示す内容であった場合、光源２を消灯させるための指令信号を生成して点灯制御部３に出力する。
【００４５】
また、本実施の形態において、照明システム１００を構成する全ての照明装置１が人感センサ５を備える必要はなく、一部の照明装置１は人感センサ５を備えていなくてもよい。図４は、実施の形態１に係る照明システムを構成する照明装置１ａの構成例を示すブロック図である。また、図５は、実施の形態１に係る照明装置１ａ−１，１ａ−２，１−３，１ａ−４，１ａ−５によって構成される照明システム１００ａの構成例を示す図である。照明装置１ａ−１，１ａ−２，１ａ−４，１ａ−５の構成は、図４に示す照明装置１ａの構成と同様とする。
【００４６】
図４および図５に示すように、照明システム１００ａにおいて、照明装置１−３のみ人感センサ５を備え、照明装置１ａ−１，１ａ−２，１ａ−４，１ａ−５は人感センサ５を備えていない場合について説明する。照明装置１ａ−１，１ａ−２，１ａ−４，１ａ−５ではセンサ出力処理部４１を備える必要はないが、部品すなわち指令部４の共通化のため、センサ出力処理部４１を備えていてもよい。すなわち、照明装置１−３と照明装置１ａ−１，１ａ−２，１ａ−４，１ａ−５とは、人感センサ５の有無のみが異なる。
【００４７】
照明装置１−３は、人感センサ５において人７を検知すると、指令部４および点灯制御部３の制御により、光源２を点灯する。また、照明装置１−３は、送受信部６から、人感センサ５で人７の在を検知したことを示す人感センサ検知情報と、照明装置１−３に割り当てられたアドレス情報とを含む無線信号を、無線通信により他の照明装置１ａ−１，１ａ−２，１ａ−４，１ａ−５に送信する。
【００４８】
照明装置１−３から無線信号を受信した照明装置１ａ−１，１ａ−２，１ａ−４，１ａ−５は、受信した無線信号から、人感センサ検知情報、および照明装置１−３のアドレス情報を抽出する。照明装置１ａ−１，１ａ−２，１ａ−４，１ａ−５には、予め連動対象の照明装置のアドレス情報が記憶されているものとする。ここでは、照明装置１ａ−２，１ａ−４には、連動対象の照明装置のアドレス情報として照明装置１−３のアドレス情報が記憶されており、照明装置１ａ−１，１ａ−５には、連動対象の照明装置のアドレス情報として照明装置１−３のアドレス情報が記憶されていないとする。照明装置１ａ−１，１ａ−２，１ａ−４，１ａ−５は、抽出したアドレス情報と連動対象の照明装置のアドレス情報との比較を行う。
【００４９】
アドレス情報が一致した照明装置１ａ−２，１ａ−４は、受信した人感センサ検知情報を用いて、光源２を制御する。一方、アドレス情報が一致していない照明装置１ａ−１，１ａ−５は、受信した人感センサ検知情報を用いないで、ユーザまたは照明システム１００ａの管理者などによって予め入力された制御内容を用いて、光源２を制御する。
【００５０】
これにより、照明装置１ａ−１，１ａ−２，１ａ−４，１ａ−５は、照明装置１−３から無線信号を受信した場合に、予め決められた照明装置の人感センサ５による人感センサ検知情報にのみに連動して、自装置の光源２の点灯制御を行うことができる。
【００５１】
人感センサ５を持たない照明装置１ａが、他の照明装置１から無線信号を受信して、光源２の点灯を制御する動作について、フローチャートを用いて詳細に説明する。図６は、実施の形態１に係る照明システム１００ａにおいて他の照明装置１から無線信号を受信した照明装置１ａにおける点灯制御の例を示すフローチャートである。
【００５２】
照明装置１ａにおいて、送受信部６は、他の照明装置１から無線信号を受信する（ステップＳ１１）。通信信号処理部４３は、送受信部６で受信された無線信号から、送信元の照明装置１のアドレス情報を抽出する（ステップＳ１２）。また、通信信号処理部４３は、無線信号から、人感センサ検知情報を抽出する（ステップＳ１３）。通信信号処理部４３は、抽出したアドレス情報を判定部４４に出力し、抽出した人感センサ検知情報を受信内容処理部４５に出力する。
【００５３】
判定部４４は、抽出されたアドレス情報と、予め記憶部４６に記憶されている連動対象の照明装置のアドレス情報とを比較する（ステップＳ１４）。アドレス情報が一致した場合（ステップＳ１４：Ｙｅｓ）、判定部４４はアドレス情報が一致したことを示す信号を受信内容処理部４５に出力する。受信内容処理部４５は、アドレス情報が一致したという判定部４４の信号の内容から、通信信号処理部４３から受け取った他の照明装置１の人感センサ検知情報を指令信号生成部４２に出力する（ステップＳ１５）。指令信号生成部４２は、受信内容処理部４５から受け取った他の照明装置１の人感センサ検知情報を用いて、指令信号を生成する（ステップＳ１６）。指令信号生成部４２は、生成した指令信号を点灯制御部３に出力する。そして、点灯制御部３は、受け取った指令信号によって出力する電流を制御し、光源２の点灯または消灯などを制御する（ステップＳ１７）。
【００５４】
一方、アドレス情報が一致していない場合（ステップＳ１４：Ｎｏ）、判定部４４はアドレス情報が一致していないことを示す信号を受信内容処理部４５に出力する。受信内容処理部４５は、アドレス情報が一致していないという判定部４４の信号の内容から、通信信号処理部４３から受け取った他の照明装置１の人感センサ検知情報を指令信号生成部４２に出力しない（ステップＳ１８）。指令信号生成部４２は、ユーザまたは照明システム１００ａの管理者などによって予め入力された制御内容を用いて、指令信号を生成する（ステップＳ１９）。指令信号生成部４２は、生成した指令信号を点灯制御部３に出力する。そして、点灯制御部３は、受け取った指令信号によって出力する電流を制御し、光源２の点灯または消灯などを制御する（ステップＳ１７）。
【００５５】
つづいて、照明装置１のハードウェア構成について説明する。なお、照明装置１ａは照明装置１から人感センサ５を除いた構成であり、人感センサ５以外の部分は共通のため、照明装置１ａについての具体的な説明は省略する。照明装置１において、光源２は、ＬＥＤなどの発光素子により実現される。点灯制御部３は、所望の大きさの直流電流を生成する回路により実現される。人感センサ５は、焦電素子により実現される。送受信部６は、無線通信のインターフェース回路により実現される。指令部４は、処理回路により実現される。すなわち、照明装置１は、他の照明装置１から受信した無線信号からアドレス情報および人感センサ検知情報を抽出し、抽出したアドレス情報と連動対象の照明装置のアドレス情報とを比較し、アドレス情報が一致した場合、抽出した人感センサ検知情報および自装置の人感センサ５の人感センサ検知情報を用いて指令信号を生成するための処理回路を備える。処理回路は、メモリに格納されるプログラムを実行するＣＰＵ（Central  Processing  Unit）およびメモリであってもよいし、専用のハードウェアであってもよい。
【００５６】
処理回路がＣＰＵおよびメモリで構成される場合、指令部４の各機能は、ソフトウェア、ファームウェア、またはソフトウェアとファームウェアとの組み合わせにより実現される。ソフトウェアまたはファームウェアはプログラムとして記述され、メモリに格納される。処理回路では、メモリに記憶されたプログラムをＣＰＵが読み出して実行することにより、各機能を実現する。すなわち、照明装置１は、指令部４が処理回路により実行されるときに、他の照明装置１から受信した無線信号からアドレス情報および人感センサ検知情報を抽出するステップ、抽出したアドレス情報と連動対象の照明装置のアドレス情報とを比較するステップ、アドレス情報が一致した場合、抽出した人感センサ検知情報および自装置の人感センサ５の人感センサ検知情報を用いて指令信号を生成するステップが結果的に実行されることになるプログラムを格納するためのメモリを備える。また、これらのプログラムは、照明装置１の手順および方法をコンピュータに実行させるものであるともいえる。ここで、ＣＰＵは、処理装置、演算装置、マイクロプロセッサ、マイクロコンピュータ、プロセッサ、またはＤＳＰ（Digital  Signal  Processor）などであってもよい。また、メモリとは、例えば、ＲＡＭ（Random  Access  Memory）、ＲＯＭ（Read  Only  Memory）、フラッシュメモリ、ＥＰＲＯＭ（Erasable  Programmable  ＲＯＭ）、ＥＥＰＲＯＭ（Electrically  ＥＰＲＯＭ）などの、不揮発性または揮発性の半導体メモリ、磁気ディスク、フレキシブルディスク、光ディスク、コンパクトディスク、ミニディスク、またはＤＶＤ（Digital  Versatile  Disc）などが該当する。
【００５７】
処理回路が専用のハードウェアである場合、処理回路は、例えば、単一回路、複合回路、プログラム化したプロセッサ、並列プログラム化したプロセッサ、ＡＳＩＣ（Application  Specific  Integrated  Circuit）、ＦＰＧＡ（Field  Programmable  Gate  Array）、またはこれらを組み合わせたものが該当する。指令部４の各機能を機能別に処理回路で実現してもよいし、各機能をまとめて処理回路で実現してもよい。
【００５８】
なお、指令部４の各機能について、一部を専用のハードウェアで実現し、一部をソフトウェアまたはファームウェアで実現するようにしてもよい。このように、処理回路は、専用のハードウェア、ソフトウェア、ファームウェア、またはこれらの組み合わせによって、上述の各機能を実現することができる。
【００５９】
以上説明したように、本実施の形態によれば、照明システム１００において、照明装置１は、予め連動して光源２を制御する連動対象の照明装置を設定しておき、他の照明装置１から無線信号を受信し、無線信号に含まれるアドレス情報が連動対象として設定された照明装置のアドレス情報と一致した場合、無線信号に含まれる他の照明装置１の人感センサ検知情報を用いて、光源２を制御することとした。これにより、無線通信により他の照明装置１と連動して光源２の点灯を制御する場合においても、連動して動作するべきではない照明装置１の光源２を点灯すなわち誤動作させることなく、連動対象の照明装置の光源２の点灯を制御することが可能であり、照明システム１００の消費電力を低減できる。また、無線通信により他の照明装置１と通信を行うため、信号線が不要であることから照明システム１００の高コスト化を抑制できるとともに、照明システム１００の施工性を向上できる。
【００６０】
また、人感センサ５を備えない照明装置１ａにおいても、周囲の照明装置１が備える人感センサ５による人感センサ検知情報を用いて、光源２の点灯および消灯の制御が可能である。これにより、照明装置１ａの構成を簡易にしつつ、照明システム１００ａの消費電力を低減できる。
【００６１】
実施の形態２．
実施の形態２では、リモートコントローラ（以下、リモコンと称する。）から操作内容を受信した照明装置が、他の照明装置と連動して点灯制御を行う。実施の形態１と異なる部分について説明する。
【００６２】
図７は、実施の形態２に係る照明システムを構成する照明装置１ｂの構成例を示すブロック図である。照明装置１ｂは、指令部４および人感センサ５に替えて、指令部４ｂおよびリモコン信号受信部８を備える。指令部４ｂは、センサ出力処理部４１に替えて、リモコン信号処理部４７を備える。
【００６３】
リモコンから光源２の点灯、消灯を制御する操作内容の信号が送信されると、リモコン信号受信部８は、リモコンからの信号を検知する。指令部４ｂは、リモコンから送信された信号による操作内容、および送受信部６から入力された信号を用いて、点灯制御部３が光源２に出力する電流の大きさを決めるための指令信号を生成して出力する。
【００６４】
リモコン信号受信部８は、リモコンから送信された信号を受信し、受信した信号の内容すなわちユーザによる操作内容を、指令部４ｂのリモコン信号処理部４７に出力する。リモコンが信号を送信する手段の例としては赤外線があり、この場合、リモコン信号受信部８は、赤外線受信のための赤外線受光素子を用いて構成される。
【００６５】
また、リモコンが信号を送信する手段の別の例としては、Ｗｉ−Ｆｉなどの無線ＬＡＮ、またはＢｌｕｅｔｏｏｔｈなどがある。この場合、リモコン信号受信部８は、無線信号を受信するためのアンテナを備える。なお、送受信部６と同一手段で通信を行う場合は、送受信部６がリモコン信号受信部８の機能を兼ねる構成としてもよい。この場合、リモコン信号受信部８は省略することができる。
【００６６】
リモコン信号処理部４７は、リモコン信号受信部８で受信された信号、すなわちリモコン９の操作内容を、指令信号生成部４２および通信信号処理部４３に出力する。
【００６７】
通信信号処理部４３は、リモコン信号処理部４７から受け取ったリモコン９の操作内容と、記憶部４６に記憶されている自装置の照明装置１ｂに割り当てられたアドレス情報とを含み、他の照明装置に無線通信により送信するための無線信号を生成する。
【００６８】
送受信部６は、通信信号処理部４３で生成された無線信号を、他の照明装置１ｂに送信する。
【００６９】
次に、実施の形態２にかかる照明装置１ｂの動作を説明する。
【００７０】
図８は、実施の形態２に係る照明装置１ｂ−１〜１ｂ−５によって構成される照明システム１００ｂの構成例を示す図である。照明装置１ｂ−１〜１ｂ−５の構成は、図７に示す照明装置１ｂの構成と同様とする。
【００７１】
照明装置１ｂ−３は、リモコン信号受信部８において外部のリモコン９から信号を受信すると、指令部４ｂおよび点灯制御部３の制御により、光源２を点灯する。また、照明装置１ｂ−３は、送受信部６から、リモコン信号受信部８で受信されたリモコン９からの操作内容と、照明装置１ｂ−３に割り当てられたアドレス情報とを含む無線信号を、無線通信により他の照明装置１ｂ−１，１ｂ−２，１ｂ−４，１ｂ−５に送信する。
【００７２】
照明装置１ｂ−３から無線信号を受信した照明装置１ｂ−１，１ｂ−２，１ｂ−４，１ｂ−５は、受信した無線通信から、リモコン９による操作内容、および照明装置１ｂ−３のアドレス情報を抽出する。照明装置１ｂ−１，１ｂ−２，１ｂ−４，１ｂ−５には、予め連動対象の照明装置のアドレス情報が記憶されているものとする。ここでは、照明装置１ｂ−４，１ｂ−５には、連動対象の照明装置のアドレス情報として照明装置１ｂ−３のアドレス情報が記憶されており、照明装置１ｂ−１，１ｂ−２には、連動対象の照明装置のアドレス情報として照明装置１ｂ−３のアドレス情報が記憶されていないとする。照明装置１ｂ−１，１ｂ−２，１ｂ−４，１ｂ−５は、抽出したアドレス情報と連動対象の照明装置のアドレス情報との比較を行う。
【００７３】
照明装置１ｂ−４は、受信した無線信号から抽出したアドレス情報が連動対象の照明装置のアドレス情報と一致すると判断すると、抽出した照明装置１ｂ−３のリモコン信号受信部８で受信されたリモコン９による操作内容を用いて、光源２の点灯、消灯、または調光といった制御を行う。同様に、照明装置１ｂ−５は、受信した無線信号から抽出したアドレス情報が連動対象の照明装置のアドレス情報と一致すると判断すると、抽出した照明装置１ｂ−３のリモコン信号受信部８で受信されたリモコン９による操作内容を用いて、光源２の点灯、消灯、または調光といった制御を行う。
【００７４】
一方、照明装置１ｂ−１は、受信した無線信号から抽出したアドレス情報が連動対象の照明装置のアドレス情報と一致しないと判断すると、抽出した照明装置１ｂ−３のリモコン信号受信部８で受信されたリモコン９による操作内容を用いないで、ユーザまたは照明システム１００ｂの管理者などによって予め入力された制御内容を用いて、光源２を制御する。同様に、照明装置１ｂ−２は、受信した無線信号から抽出したアドレス情報が連動対象の照明装置のアドレス情報と一致しないと判断すると、抽出した照明装置１ｂ−３のリモコン信号受信部８で受信されたリモコン９による操作内容を用いないで、ユーザまたは照明システム１００ｂの管理者などによって予め入力された制御内容を用いて、光源２を制御する。
【００７５】
これにより、照明装置１ｂ−１，１ｂ−２，１ｂ−４，１ｂ−５は、照明装置１ｂ−３から無線信号を受信した場合に、予め決められた照明装置１ｂのリモコン信号受信部８で受信されたリモコン９による操作内容にのみに連動して、自装置の光源２の点灯制御を行うことができる。
【００７６】
図８は、照明装置１ｂ−１〜１ｂ−５が、予め決められた領域内の照明装置１ｂのリモコン信号受信部８がリモコン９から操作内容を受信している場合に連動して点灯する制御を行う例を示したものである。照明装置１ｂ−３のみがリモコン信号受信部８によりリモコン９から操作内容を受信しており、照明装置１ｂ−１，１ｂ−２，１ｂ−４，１ｂ−５はリモコン９から操作内容を受信していない。照明装置１ｂ−３は、リモコン信号受信部８によりリモコン９から操作内容を受信したので、光源２の点灯および消灯などをする。また、照明装置１ｂ−３の送受信部６は、リモコン信号受信部８によりリモコン９から受信した操作内容と、自装置である照明装置１ｂ−３のアドレス情報を含む無線信号を他の照明装置１ｂ−１，１ｂ−２，１ｂ−４，１ｂ−５に送信する。
【００７７】
照明装置１ｂ−１，１ｂ−２，１ｂ−４，１ｂ−５のうち、照明装置１ｂ−３が予め設定された領域内にある照明装置１ｂ−４，１ｂ−５は、照明装置１ｂ−３のリモコン信号受信部８で受信されたリモコン９からの操作内容と連動して光源２を点灯する。一方、照明装置１ｂ−３が予め設定された領域内にない照明装置１ｂ−１，１ｂ−２は、照明装置１ｂ−３のリモコン信号受信部８で受信されたリモコン９からの操作内容を受信するが、連動して光源２を点灯せず、消灯する。
【００７８】
これにより、照明システム１００ｂは、リモコン９の信号が届かない領域にある照明装置１ｂを制御することができる。また、無線通信の範囲内において、予め設定された領域内の照明装置１ｂのみが連動して点灯制御をするため、例えば、室内照明において、予め設定された領域内にない場合は、隣り合った部屋の照明装置１ｂが誤って制御されることがない。
【００７９】
他の照明装置１ｂからリモコン９の操作内容を含む無線信号を受信して、光源２の点灯を制御する照明装置１ｂの動作について、フローチャートを用いて詳細に説明する。図９は、実施の形態２に係る照明システム１００ｂにおいて他の照明装置１ｂから無線信号を受信した照明装置１ｂにおける点灯制御の例を示すフローチャートである。
【００８０】
照明装置１ｂにおいて、送受信部６は、他の照明装置１ｂから無線信号を受信する（ステップＳ２１）。通信信号処理部４３は、送受信部６で受信された無線信号から、送信元の照明装置１ｂのアドレス情報を抽出する（ステップＳ２２）。また、通信信号処理部４３は、無線信号から、リモコン９による操作内容を抽出する（ステップＳ２３）。通信信号処理部４３は、抽出したアドレス情報を判定部４４に出力し、抽出したリモコン９による操作内容を受信内容処理部４５に出力する。
【００８１】
判定部４４は、抽出されたアドレス情報と、予め記憶部４６に記憶されている連動対象の照明装置のアドレス情報とを比較する（ステップＳ２４）。アドレス情報が一致した場合（ステップＳ２４：Ｙｅｓ）、判定部４４はアドレス情報が一致したことを示す信号を受信内容処理部４５に出力する。受信内容処理部４５は、アドレス情報が一致したという判定部４４の信号の内容から、通信信号処理部４３から受け取った他の照明装置１ｂのリモコン９による操作内容を指令信号生成部４２に出力する（ステップＳ２５）。指令信号生成部４２は、受信内容処理部４５から受け取った他の照明装置１ｂのリモコン９による操作内容を用いて、指令信号を生成する（ステップＳ２６）。そして、点灯制御部３は、受け取った指令信号によって出力する電流を制御し、光源２の点灯または消灯などを制御する（ステップＳ２７）。
【００８２】
一方、アドレス情報が一致していない場合（ステップＳ２４：Ｎｏ）、判定部４４はアドレス情報が一致していないことを示す信号を受信内容処理部４５に出力する。受信内容処理部４５は、アドレス情報が一致していないという判定部４４の信号の内容から、通信信号処理部４３から受け取った他の照明装置１ｂのリモコン９による操作内容を指令信号生成部４２に出力しない（ステップＳ２８）。指令信号生成部４２は、現状の状態を維持する指令信号を生成する（ステップＳ２９）。指令信号生成部４２は、生成した指令信号を点灯制御部３に出力する。そして、点灯制御部３は、受け取った指令信号によって出力する電流を制御し、光源２の点灯または消灯などを制御する（ステップＳ２７）。
【００８３】
このように、予め連動して光源２を制御する照明装置１ｂを決めておくことで、無線通信により連動して光源２を制御する場合においても、連動対象以外の照明装置１ｂを点灯させることなく連動対象の照明装置の制御が可能である。照明システム１００ｂは、リモコン９の通信内容が直接到達しない広い場所にある照明装置１ｂを制御することができるため、利便性を向上できる。
【００８４】
照明装置１ｂにおいて、指令部４ｂは、リモコン信号受信部８で受信された操作内容、および自装置に割り当てられたアドレス情報を含む無線信号を生成して送受信部６経由で他の照明装置１ｂに送信する。また、指令部４ｂは、送受信部６経由で他の照明装置１ｂから無線信号を受信した場合、受信した無線信号に含まれる他の照明装置１ｂのリモコン信号受信部８で受信された操作内容、および他の照明装置１ｂのアドレス情報を用いて、指令信号を生成する。
【００８５】
また、指令部４ｂは、他の照明装置１ｂから無線信号を受信し、受信した無線信号に含まれる他の照明装置１ｂのアドレス情報が連動対象の照明装置のアドレス情報と一致した場合、他の照明装置１ｂで受信された操作内容に従って、指令信号を生成して点灯制御部３に出力する。
【００８６】
また、本実施の形態において、照明システム１００ｂを構成する全ての照明装置１ｂがリモコン信号受信部８を備える必要はなく、一部の照明装置１ｂはリモコン信号受信部８を備えていなくてもよい。図１０は、実施の形態２に係る照明システムを構成する照明装置１ｃの構成例を示すブロック図である。また、図１１は、実施の形態２に係る照明装置１ｃ−１，１ｃ−２，１ｂ−３，１ｃ−４，１ｃ−５によって構成される照明システム１００ｃの構成例を示す図である。照明装置１ｃ−１，１ｃ−２，１ｃ−４，１ｃ−５の構成は、図１０に示す照明装置１ｃの構成と同様とする。
【００８７】
図１０および図１１に示すように、照明システム１００ｃにおいて、照明装置１ｂ−３のみリモコン信号受信部８を備え、照明装置１ｃ−１，１ｃ−２，１ｃ−４，１ｃ−５はリモコン信号受信部８を備えていない場合について説明する。照明装置１ｃ−１，１ｃ−２，１ｃ−４，１ｃ−５ではリモコン信号処理部４７を備える必要はないが、部品すなわち指令部４ｂの共通化のため、リモコン信号処理部４７を備えていてもよい。すなわち、照明装置１ｂ−３と照明装置１ｃ−１，１ｃ−２，１ｃ−４，１ｃ−５とは、リモコン信号受信部８の有無のみが異なる。
【００８８】
照明装置１ｂ−３は、リモコン信号受信部８において外部のリモコン９から信号を受信すると、指令部４ｂおよび点灯制御部３の制御により、光源２を点灯する。また、照明装置１ｂ−３は、送受信部６から、リモコン信号受信部８で受信されたリモコン９からの操作内容と、照明装置１ｂ−３に割り当てられたアドレス情報とを含む無線信号を、無線通信により他の照明装置１ｃ−１，１ｃ−２，１ｃ−４，１ｃ−５に送信する。
【００８９】
照明装置１ｂ−３から無線信号を受信した照明装置１ｃ−１，１ｃ−２，１ｃ−４，１ｃ−５は、受信した無線信号から、リモコン９からの操作内容、および照明装置１ｂ−３のアドレス情報を抽出する。照明装置１ｃ−１，１ｃ−２，１ｃ−４，１ｃ−５には、予め連動対象の照明装置のアドレス情報が記憶されているものとする。ここでは、照明装置１ｃ−４，１ｃ−５には、連動対象の照明装置のアドレス情報として照明装置１ｂ−３のアドレス情報が記憶されており、照明装置１ｃ−１，１ｃ−２には、連動対象の照明装置のアドレス情報として照明装置１ｂ−３のアドレス情報が記憶されていないとする。照明装置１ｃ−１，１ｃ−２，１ｃ−４，１ｃ−５は、抽出したアドレス情報と連動対象の照明装置のアドレス情報との比較を行う。
【００９０】
アドレス情報が一致した照明装置１ｃ−４，１ｃ−５は、リモコン９からの操作内容を用いて、光源２を制御する。一方、アドレス情報が一致していない照明装置１ｃ−１，１ｃ−２は、受信したリモコン９からの操作内容を用いないで、光源２を制御する。
【００９１】
これにより、照明装置１ｃ−１，１ｃ−２，１ｃ−４，１ｃ−５は、照明装置１ｂ−３から無線信号を受信した場合に、予め決められた照明装置で受信されたリモコン９からの操作内容にのみに連動して、自装置の光源２の点灯制御を行うことができる。
【００９２】
リモコン信号受信部８を持たない照明装置１ｃが、他の照明装置１ｂから無線信号を受信して、光源２の点灯を制御する動作についてのフローチャートは、図９のフローチャートと同様である。
【００９３】
なお、実施の形態２における制御は、上記の構成のみに限定されるものではなく、実施の形態１に示す制御と組み合わせて実施することができる。
【００９４】
照明装置１ｂのハードウェア構成について説明する。なお、照明装置１ｃは照明装置１ｂからリモコン信号受信部８を除いた構成であり、リモコン信号受信部８以外の部分は共通のため、照明装置１ｃについての具体的な説明は省略する。照明装置１ｂにおいて、リモコン信号受信部８は、赤外線受信のための赤外線受光素子により実現される。その他の構成は、照明装置１と同様である。
【００９５】
以上説明したように、本実施の形態によれば、照明システム１００ｂにおいて、照明装置１ｂは、予め連動して光源２を制御する連動対象の照明装置を設定しておき、他の照明装置１ｂから無線信号を受信し、無線信号に含まれるアドレス情報が連動対象として設定された照明装置のアドレス情報と一致した場合、無線信号に含まれる他の照明装置１ｂのリモコン９からの操作内容を用いて、光源２を制御することとした。これにより、無線通信により他の照明装置１ｂと連動して光源２の点灯を制御する場合においても、連動して動作するべきではない照明装置１ｂの光源２を点灯すなわち誤動作させることなく、連動対象の照明装置の光源２の点灯を制御することが可能であり、照明システム１００ｂの消費電力を低減できる。また、無線通信により他の照明装置１ｂと通信を行うため、信号線が不要であることから照明システム１００ｂの高コスト化を抑制できるとともに、照明システム１００ｂの施工性を向上できる。
【００９６】
また、リモコン信号受信部８を備えない照明装置１ｃにおいても、周囲の照明装置１ｂが備えるリモコン信号受信部８で受信された操作内容を用いて、光源２の点灯および消灯の制御が可能である。これにより、照明装置１ｃの構成を簡易にしつつ、照明システム１００ｃの消費電力を低減できる。
【００９７】
実施の形態３．
実施の形態３では、照明装置が、周囲の照明装置が不具合によって不点灯状態となった場合、光源の光量を増加して周囲の明るさの低下を補う。実施の形態１と異なる部分について説明する。
【００９８】
図１２は、実施の形態３に係る照明システムを構成する照明装置１ｄの構成例を示すブロック図である。照明装置１ｄは、指令部４に替えて指令部４ｄを備え、人感センサ５を削除したものである。指令部４ｄは、センサ出力処理部４１に替えて、不点灯状態検出部４８を備える。
【００９９】
不点灯状態検出部４８は、光源２または点灯制御部３の不具合によって、照明装置１ｄが不点灯の状態、詳細には照明装置１ｄの光源２が不点灯の状態になったことを検出する。ここで、点灯制御部３は、光源２に出力する電流の大きさを検出する機能を備えており、検出結果である出力電流の情報を不点灯状態検出部４８に出力する。また、指令信号生成部４２は、点灯制御部３とともに、不点灯状態検出部４８に指令信号を出力する。不点灯状態検出部４８は、指令信号生成部４２から指令信号を受け取り、光源２を点灯する指令信号が出力されている状態において、光源２への出力電流の大きさが規定された閾値以下の場合、光源２が不具合によって不点灯状態であると判断する。不点灯状態検出部４８は、自装置の光源２が不具合によって不点灯状態であることを示す不点灯情報を通信信号処理部４３に出力する。
【０１００】
通信信号処理部４３は、不点灯状態検出部４８から受け取った不点灯情報と、記憶部４６に記憶されている自装置の照明装置１ｄに割り当てられたアドレス情報とを含み、他の照明装置１ｄに無線通信により送信するための無線信号を生成する。
【０１０１】
送受信部６は、通信信号処理部４３で生成された無線信号を、他の照明装置１ｄに送信する。
【０１０２】
本実施の形態において、照明装置１ｄは、周囲の照明装置１ｄが不具合によって不点灯状態となった場合、自装置の光源２の光量を増加し、周囲の照明装置１ｄが不具合によって不点灯状態になったことによる周囲の明るさの低下を補う制御を行う。不具合によって不点灯となった照明装置１ｄに対して、光源２の光量を増加する照明装置１ｄの対応関係を予め設定しておく。これにより、設定された照明装置１ｄのみが光源２の光量を増加し、設定されていない他の照明装置１ｄが不要に光源２の光量を増加することを防止できる。この対応関係は、ユーザまたは照明システム１００ｄの管理者などによって、予め連動して光源２の光量を制御する他の照明装置１ｄのアドレス情報を記憶部４６に記憶させておく。
【０１０３】
次に、実施の形態３にかかる照明装置１ｄの動作を説明する。
【０１０４】
図１３は、実施の形態３に係る照明装置１ｄ−１〜１ｄ−５によって構成される照明システム１００ｄの構成例を示す図である。照明装置１ｄ−１〜１ｄ−５の構成は、図１２に示す照明装置１ｄの構成と同様とする。
【０１０５】
照明装置１ｄ−３は、自装置の光源２が不具合によって不点灯状態になったとき、送受信部６から、自装置の光源２が不具合によって不点灯状態にあることを示す不点灯情報と、照明装置１ｄ−３に割り当てられたアドレス情報とを含む無線信号を、無線通信により他の照明装置１ｄ−１，１ｄ−２，１ｄ−４，１ｄ−５に送信する。
【０１０６】
照明装置１ｄ−３から無線信号を受信した照明装置１ｄ−１，１ｄ−２，１ｄ−４，１ｄ−５は、受信した無線信号から、不点灯情報、および照明装置１ｄ−３のアドレス情報を抽出する。照明装置１ｄ−１，１ｄ−２，１ｄ−４，１ｄ−５には、予め連動対象の照明装置のアドレス情報が記憶されているものとする。ここでは、照明装置１ｄ−２，１ｄ−４には、連動対象の照明装置のアドレス情報として照明装置１ｄ−３のアドレス情報が記憶されており、照明装置１ｄ−１，１ｄ−５には、連動対象の照明装置のアドレス情報として照明装置１ｄ−３のアドレス情報が記憶されていないとする。照明装置１ｄ−１，１ｄ−２，１ｄ−４，１ｄ−５は、抽出したアドレス情報と連動対象の照明装置のアドレス情報との比較を行う。
【０１０７】
照明装置１ｄ−２は、受信した無線信号から抽出したアドレス情報が連動対象の照明装置のアドレス情報と一致すると判断すると、照明装置１ｄ−３の不点灯情報に従い、光源２の光量を増加させる制御を行う。同様に、照明装置１ｄ−４は、受信した無線信号から抽出したアドレス情報が連動対象の照明装置のアドレス情報と一致すると判断すると、照明装置１ｄ−３の不点灯情報に従い、光源２の光量を増加させる制御を行う。
【０１０８】
一方、照明装置１ｄ−１は、受信した無線信号から抽出したアドレス情報が連動対象の照明装置のアドレス情報と一致しないと判断すると、抽出した照明装置１ｄ−３の不点灯情報を用いず、光源２の点灯、消灯、または調光といった制御を行う。同様に、照明装置１ｄ−５は、受信した無線信号から抽出したアドレス情報が連動対象の照明装置のアドレス情報と一致しないと判断すると、抽出した照明装置１ｄ−３の不点灯情報を用いず、光源２の点灯、消灯、または調光といった制御を行う。
【０１０９】
これにより、照明装置１ｄ−１，１ｄ−２，１ｄ−４，１ｄ−５は、照明装置１ｄ−３から無線信号を受信した場合に、予め決められた照明装置１ｄの不点灯情報にのみに連動して、自装置の光源２の光量を増加させる制御を行うことができる。
【０１１０】
図１３は、照明装置１ｄ−１〜１ｄ−５が、隣接する照明装置１ｄが不具合によって不点灯状態になった場合に連動して自装置の光源２の光量を増加する制御を行う例を示したものである。照明装置１ｄ−１〜１ｄ−５が点灯中において照明装置１ｄ−３が不具合によって不点灯状態になった場合、照明装置１ｄ−３は、自装置が不具合によって不点灯状態になったことを示す不点灯情報と、自装置である照明装置１ｄ−３のアドレス情報を含む無線信号を他の照明装置１ｄ−１，１ｄ−２，１ｄ−４，１ｄ−５に送信する。
【０１１１】
照明装置１ｄ−１，１ｄ−２，１ｄ−４，１ｄ−５のうち、照明装置１ｄ−３に隣接して設置されている照明装置１ｄ−２，１ｄ−４は、照明装置１ｄ−３の不点灯情報に連動して光源２の光量を増加させる。一方、照明装置１ｄ−３に隣接していない照明装置１ｄ−１，１ｄ−５は、照明装置１ｄ−３の不点灯情報を受信するが、連動して光源２の光量を増加させる制御はしない。
【０１１２】
これにより、照明システム１００ｄは、照明装置１ｄ−３が不具合によって不点灯状態になったことによる明るさの低下を補うことができ、かつ、隣接する照明装置１ｄ−２，１ｄ−４のみで制御することができる。
【０１１３】
光源２にＬＥＤを使用する場合、光源２の光量は、点灯制御部３が光源２に出力する電流値に依存して大きくなる。具体的に、照明装置１ｄ−３が不具合によって不点灯状態になった場合に隣接する照明装置１ｄ−２，１ｄ−４が光源２の光量を増加する制御について、光源２の光量の変化を各照明装置１ｄの点灯制御部３から出力される電流の大きさを用いて説明する。図１４は、実施の形態３に係る照明装置１ｄ−３が不具合によって不点灯状態になる前後における各照明装置１ｄ−１〜１ｄ−５の点灯制御部３が出力する電流を示す図である。各照明装置１ｄ−１〜１ｄ−５の点灯制御部３は、時刻Ｔ以前、すなわち照明装置１ｄ−３が不具合によって不点灯状態になる前は大きさＩの電流を出力している。時刻Ｔにおいて、照明装置１ｄ−３が不具合によって不点灯状態になり、照明装置１ｄ−３の点灯制御部３からの出力電流が規定された閾値以下になると、隣接する照明装置１ｄ−２，１ｄ−４は出力電流をＩ＋ΔＩに増加する。一方で、照明装置１ｄ−１，１ｄ−５は出力電流を増加しない。これにより、照明装置１ｄ−３が不具合によって不点灯状態になった場合に、照明装置１ｄ−２，１ｄ−４が光源２の光量を増加させることができる。
【０１１４】
不点灯状態検出部４８を備えた照明装置１ｄが、他の照明装置１ｄから無線信号を受信して、光源２の光量を制御する動作について、フローチャートを用いて詳細に説明する。図１５は、実施の形態３に係る照明システム１００ｄにおいて他の照明装置１ｄから無線信号を受信した照明装置１ｄにおける点灯制御の例を示すフローチャートである。
【０１１５】
照明装置１ｄにおいて、送受信部６は、他の照明装置１ｄから無線信号を受信する（ステップＳ３１）。通信信号処理部４３は、送受信部６で受信された無線信号から、送信元の照明装置１ｄのアドレス情報を抽出する（ステップＳ３２）。また、通信信号処理部４３は、無線信号から、不点灯情報を抽出する（ステップＳ３３）。通信信号処理部４３は、抽出したアドレス情報を判定部４４に出力し、抽出した不点灯情報を受信内容処理部４５に出力する。
【０１１６】
判定部４４は、抽出されたアドレス情報と、予め記憶部４６に記憶されている連動対象の照明装置のアドレス情報とを比較する（ステップＳ３４）。アドレス情報が一致した場合（ステップＳ３４：Ｙｅｓ）、判定部４４はアドレス情報が一致したことを示す信号を受信内容処理部４５に出力する。受信内容処理部４５は、アドレス情報が一致したという判定部４４の信号の内容から、通信信号処理部４３から受け取った不点灯情報を指令信号生成部４２に出力する（ステップＳ３５）。指令信号生成部４２は、受信内容処理部４５から受け取った不点灯情報に従って、光源２の光量を増加させるための指令信号を生成する（ステップＳ３６）。指令信号生成部４２は、生成した指令信号を点灯制御部３に出力する。そして、点灯制御部３は、受け取った指令信号によって出力する電流を増加し、光源２の光量を増加させる制御をする（ステップＳ３７）。
【０１１７】
一方、アドレス情報が一致していない場合（ステップＳ３４：Ｎｏ）、判定部４４はアドレス情報が一致していないことを示す信号を受信内容処理部４５に出力する。受信内容処理部４５は、アドレス情報が一致していないという判定部４４の信号の内容から、通信信号処理部４３から受け取った不点灯情報を指令信号生成部４２に出力しない（ステップＳ３８）。指令信号生成部４２は、現状の状態を維持する指令信号を生成する（ステップＳ３９）。指令信号生成部４２は、生成した指令信号を点灯制御部３に出力する。そして、点灯制御部３は、受け取った指令信号によって出力する電流を制御し、光源２の点灯または消灯などを制御する（ステップＳ３７）。
【０１１８】
照明装置１ｄにおいて、指令部４ｄは、光源２の不点灯状態を検出したことを示す不点灯情報、および自装置のアドレス情報を含む無線信号を生成して送受信部６経由で他の照明装置１ｄに送信する。また、指令部４ｄは、送受信部６経由で他の照明装置１ｄから無線信号を受信した場合、受信した無線信号に含まれる他の照明装置１ｄの指令部４ｄによる不点灯情報、および他の照明装置１ｄのアドレス情報を用いて、指令信号を生成する。
【０１１９】
また、指令部４ｄは、他の照明装置１ｄから無線信号を受信し、受信した無線信号に含まれる他の照明装置１ｄのアドレス情報が連動対象の照明装置のアドレス情報と一致した場合、光源２の光量を増加させるための指令信号を生成して点灯制御部３に出力する。
【０１２０】
なお、実施の形態３における制御は、上記の構成のみに限定されるものではなく、実施の形態１および実施の形態２に示す制御と組み合わせて実施することができる。
【０１２１】
照明装置１ｄのハードウェア構成については実施の形態１の照明装置１と同様である。
【０１２２】
以上説明したように、本実施の形態によれば、照明システム１００ｄにおいて、照明装置１ｄは、予め連動して光源２を制御する連動対象の照明装置を設定しておき、他の照明装置１ｄから無線信号を受信し、無線信号に含まれるアドレス情報が連動対象として設定された照明装置のアドレス情報と一致した場合、無線信号に含まれる他の照明装置１ｄの不点灯情報に従って、光源２の光量を増加させることとした。これにより、不具合によって不点灯状態になった照明装置１ｄに対して、無線通信により、他の照明装置１ｄが連動して光源２の光量を増加する場合においても、連動して動作するべきではない照明装置１ｄの光源２の光量を増加すなわち誤動作させることなく、連動対象の照明装置の光源２の光量の増加が可能である。
【０１２３】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【０１２４】
１，１ａ，１ｂ，１ｃ，１ｄ，１−１〜１−５，１ａ−１，１ａ−２，１ａ−４，１ａ−５，１ｂ−１〜１ｂ−５，１ｃ−１，１ｃ−２，１ｃ−４，１ｃ−５，１ｄ−１〜１ｄ−５  照明装置、２  光源、３  点灯制御部、４，４ｂ，４ｄ  指令部、４１  センサ出力処理部、４２  指令信号生成部、４３  通信信号処理部、４４  判定部、４５  受信内容処理部、４６  記憶部、４７  リモコン信号処理部、４８  不点灯状態検出部、５  人感センサ、６  送受信部、７  人、８  リモコン信号受信部、９  リモコン、１００，１００ａ，１００ｂ，１００ｃ，１００ｄ  照明システム。
【図１】
2018006191.tif 000003
【図２】
2018006191.tif 000004
【図３】
2018006191.tif 000005
【図４】
2018006191.tif 000006
【図５】
2018006191.tif 000007
【図６】
2018006191.tif 000008
【図７】
2018006191.tif 000009
【図８】
2018006191.tif 000010
【図９】
2018006191.tif 000011
【図１０】
2018006191.tif 000012
【図１１】
2018006191.tif 000013
【図１２】
2018006191.tif 000014
【図１３】
2018006191.tif 000015
【図１４】
2018006191.tif 000016
【図１５】
2018006191.tif 000017